(57)【要約】【課題】検出できる外力付加部位を限定しないようにでき、且つ、外力を検出するための素子に相当する部材の個数を低減することができる変形センサシステムを提供する。【解決手段】外力を受け得る面状部１２ａを有し、面状部１２ａに外力を受けた場合に弾性変形し、その弾性変形量が増加するに従って電気抵抗が増加する弾性材からなる変形センサと、面状部１２ａの周縁部における所定の対辺のうち一方に接触して配置される第一電極１３と、所定の対辺のうち他方に接触して配置され、第一電極１３が所定の対辺に接触する接触長よりも長い接触長を有する第二電極１４と、第一電極１３と第二電極１４との間に電圧を印加した場合に、第一電極１３と第二電極１４との間における外力による変形センサ１２の電気抵抗の変化に基づいて、面状部１２ａのうち外力を受けた位置を検出する検出部２２とを備える。【選択図】図１
2008241528.tif 000002
【特許請求の範囲】
【請求項１】
外力を受け得る面状部を有し、前記面状部に前記外力を受けた場合に弾性変形し、その弾性変形量が増加するに従って電気抵抗が増加する弾性材からなる変形センサと、
前記面状部の周縁部における所定の対辺のうち一方に接触して配置される第一電極と、
前記所定の対辺のうち他方に接触して配置され、前記第一電極が前記所定の対辺に接触する接触長よりも長い接触長を有する第二電極と、
前記第一電極と前記第二電極との間に電圧を印加した場合に、前記第一電極と前記第二電極との間における前記外力による前記変形センサの前記電気抵抗の変化に基づいて、前記面状部のうち前記外力を受けた位置を検出する検出部と、
を備えることを特徴とする変形センサシステム。
【請求項２】
前記所定の対辺が対向する方向に直交する方向の前記面状部の幅は、前記所定の対辺の前記一方端より前記所定の対辺の前記他方端の方が広く形成される請求項１に記載の変形センサシステム。
【請求項３】
前記所定の対辺が対向する方向に直交する方向の前記面状部の幅は、前記一方端から前記他方端までの間の少なくとも一部において、前記一方側から前記他方側に向かって次第に広く形成される請求項２に記載の変形センサシステム。
【請求項４】
前記所定の対辺が対向する方向に直交する方向の前記面状部の幅は、前記一方端から前記他方端に向かって全体に亘って次第に広く形成される請求項３に記載の変形センサシステム。
【請求項５】
前記第一電極の幅は、前記所定の対辺の前記一方端の幅以上である請求項２〜４の何れか一項に記載の変形センサシステム。
【請求項６】
前記第二電極の幅は、前記所定の対辺の前記他方端の幅以上である請求項２〜５の何れか一項に記載の変形センサシステム。
【請求項７】
前記弾性材は、所定のゴムからなるエラストマーと、前記エラストマー中に略単粒子状態で且つ高充填率で配合されている球状の導電性フィラーとを有する請求項１〜６の何れか一項に記載の変形センサシステム。
【発明の詳細な説明】
【技術分野】
【０００１】
本発明は、例えば、感圧センサ等に用いることができる変形センサシステムに関するものである。
【背景技術】
【０００２】
従来、感圧センサとしては、例えば、実開平５−３６３３１号公報（特許文献１）、特開平５−８１９７７号公報（特許文献２）、特開平１１−１１５６７８号公報（特許文献３）、特開２００１−５６２５９号公報（特許文献４）、特開２００５−３５１６５３号公報（特許文献５）および特開２００６−９０９８３号公報（特許文献６）に開示されたものがある。
【０００３】
特許文献１および特許文献２に記載の感圧センサは、感圧導電性エラストマー部材の表面に圧力検出用凸部を形成し、その裏面側に電極を配置する構成からなる。この感圧導電性エラストマーは、無加圧時には絶縁性を示し、加圧時に内部の導電性粒子が互いに接近して電気抵抗値が次第に低下することに伴って導電性を示す材料からなる。つまり、圧力検出用凸部に圧力が付加された場合に、その表面と裏面との離間距離が短くなることにより、感圧導電性エラストマー部材が導電性を示すこととなる。そして、この絶縁性から導電性への変化を裏面側の電極により検出して、圧力の付加を検出するというものである。
【０００４】
また、特許文献３に記載の感圧センサは、上側感圧インクと下側感圧インクとを備えており、無加圧時には両者は離間しており、加圧時に両者が接触してその間の電気抵抗が変化することにより、圧力の付加を検出するというものである。
【０００５】
また、特許文献４に記載の感圧センサは、配線パターンが形成されている下側フィルムと、その下側フィルムに重ね合わさるように離間して配置され感圧抵抗が形成されている上側フィルムとを備えている。つまり、無加圧時には配線パターンと感圧抵抗とが離間しているので導通されず、加圧時に配線パターンと感圧抵抗とが接触することにより導通する。従って、導通することにより発生する電気信号に基づいて、圧力の付加を検出するというものである。
【０００６】
また、特許文献５に記載の感圧センサは、基板表面に多数の電極をアレイ状に形成し、それぞれの電極上に導電性感圧ゴムを配置している。また、特許文献６に記載の感圧センサは、面部材を網目状に形成し、その交差部分に多数の圧力センサ素子を配置している。
【特許文献１】実開平５−３６３３１号公報
【特許文献２】特開平５−８１９７７号公報
【特許文献３】特開平１１−１１５６７８号公報
【特許文献４】特開２００１−５６２５９号公報
【特許文献５】特開２００５−３５１６５３号公報
【特許文献６】特開２００６−９０９８３号公報
【発明の開示】
【発明が解決しようとする課題】
【０００７】
しかし、従来の感圧センサは、何れも、加圧部位に圧力検出素子に相当する部材が配置されている。例えば、特許文献１および特許文献２においては、導電性へ変化を検出する電極（圧力検出素子）が、加圧部位の裏面側に配置されている。また、特許文献３においては、圧力検出素子に相当する上側感圧インクと下側感圧インクが、加圧部位に配置されている。特許文献４においても、圧力検出素子に相当する配線パターンと感圧抵抗との接触部位が、加圧部位に配置されている。特許文献５および６についても実質的に同様である。
【０００８】
このように、圧力検出素子が加圧部位に配置されている構成によれば、当該圧力検出素子が配置された部位への圧力付加を検出することはできるが、その他の部位への圧力付加を検出することはできない。つまり、検出できる圧力付加の部位が限定されている。また、例えば、所定の面の全部位への圧力付加を検出するような感圧センサを構成するとした場合には、面の全部位に多数の圧力検出素子を配置する必要がある。このように多数の電極を面の全部位に配置したとしても、より小さな単位で見ると、やはり検出できる圧力付加の部位が限定されていることになる。従って、従来の構成では、圧力付加の部位が限定されてしまう。多数の圧力検出素子を配置することで、ある程度の圧力付加の部位を限定しないようにできるとしても、この場合には、多数の圧力検出素子を必要とするため、高コスト化を招来する。
【０００９】
本発明は、このような事情に鑑みてなされたものであり、検出できる外力付加部位を限定しないようにでき、且つ、外力を検出する素子に相当する部材の個数を低減することができる変形センサシステムを提供することを目的とする。
【課題を解決するための手段】
【００１０】
本発明の変形センサシステムは、外力を受け得る面状部を有し、面状部に外力を受けた場合に弾性変形し、その弾性変形量が増加するに従って電気抵抗が増加する弾性材からなる変形センサと、面状部の周縁部における所定の対辺のうち一方に接触して配置される第一電極と、所定の対辺のうち他方に接触して配置され、第一電極が所定の対辺に接触する接触長よりも長い接触長を有する第二電極と、第一電極と第二電極との間に電圧を印加した場合に、第一電極と第二電極との間における外力による変形センサの電気抵抗の変化に基づいて、面状部のうち外力を受けた位置を検出する検出部とを備えることを特徴とする。
【００１１】
まず、本発明の変形センサシステムにおいて、外力を受けた場合に変形センサの面状部における外力を受けた位置を検出できる理由について説明する。
【００１２】
本発明における変形センサは、上述したように、弾性変形量が増加するに従って電気抵抗が増加する弾性材からなる。つまり、この弾性材は、無変形時に電気抵抗が最も小さく、変形時に電気抵抗が大きくなる。従って、この弾性材に一定の電圧を印加した場合には、無変形時に最も大きな電流が流れ、変形に応じて電流値が小さくなっていく。
【００１３】
つまり、変形センサの面状部に外力を受けていない状態（以下、「無負荷状態」という）が電極間の電気抵抗が最も小さい。従って、この無負荷状態にて電極間に電圧を印加した場合が、電極間に電流は最も流れやすい状態となる。このように、無負荷状態にて、電極間に電流が流れていることになる。一方、変形センサの面状部に外力を受けた状態（以下、「負荷状態」という）には、変形センサが外力により弾性変形し、その結果、第一電極と第二電極の間における変形センサの電気抵抗が大きくなる。さらに、外力を受ける位置によって電気抵抗の変化量は異なるとしても、第一電極と第二電極の間における電気抵抗は、外力を受けることにより必ず増加する。そうすると、印加する電圧を一定とした場合に、電極間に流れる電流は、外力を受けることにより小さくなる。
【００１４】
そして、検出部は、第一電極と第二電極との間に電圧を印加した場合に、当該電極間における外力による変形センサの電気抵抗の変化を検出している。例えば、検出部は、当該電極間に電圧を印加した場合に、当該電極間に流れる電流を検出する。この場合、検出部は、無負荷状態にて最大電流を検出し、負荷状態においてはそれより小さい電流を検出することになる。従って、外力を受ける位置がどの位置であっても、検出部は、確実に当該電極間の電気抵抗の変化を検出できる。
【００１５】
このように、第一電極と第二電極との間の電気抵抗は、変形センサの面状部が外力を受けることにより変化する。さらに、当該電極間の電気抵抗の変化を検出できるので、確実に変形センサの面状部に外力を受けたことを検出できる。つまり、変形センサの面状部であればどの位置に外力を受けたとしても、外力を受けたことを検出できる。このように、本発明の変形センサシステムによれば、検出できる外力付加部位を限定しないようにできる。
【００１６】
ところで、本発明の変形センサシステムは、第一電極と第二電極の２個の電極を備えている。このように、２個の電極のみを用いる場合には、仮に、第一電極が変形センサに接触する接触長と、第二電極が変形センサに接触する接触長が、同一の場合には、変形センサの面状部のうち第一電極側に外力を受けたのか、それとも第二電極側に外力を受けたのかを判別できない。
【００１７】
この理由について説明する。上述したように、変形センサは外力を受けることにより電気抵抗が増加する。そして、外力の大きさが同一であっても、外力を受けた位置が異なる場合には、第一電極と第二電極との間における電気抵抗の変化への影響が異なる。具体的には、電極から外力位置までの距離が遠い位置ほど、外力の大きさによる電気抵抗の変化への影響が小さく、電極から外力位置までの距離が近い位置ほど、外力の大きさによる電気抵抗の変化への影響が大きくなる。このように、電極の位置と外力を受ける位置との関係に基づいて、その位置における外力の大きさが電気抵抗の変化への影響度を決定することができる。
【００１８】
そして、２個の電極のみを用いる場合には、第一電極と第二電極の中央を境に、第一電極側に所定距離ずれた位置に外力を受けた場合と、第二電極側に同一の所定距離ずれた位置に同一外力を受けた場合とでは、電極間の電気抵抗は同一となる。従って、第一電極が変形センサに接触する接触長と、第二電極が変形センサに接触する接触長が、同一の場合には、変形センサの面状部のうち第一電極側に外力を受けたのか、それとも第二電極側に外力を受けたのかを判別できない。
【００１９】
そこで、本発明の変形センサシステムにおいては、第二電極が変形センサに接触する接触長が、第一電極が変形センサに接触する接触長よりも長くしている。これにより、面状部のうち第一電極側に外力を受けた場合と、第二電極側に同一外力を受けた場合とでは、電極間の電気抵抗の変化の影響度が異なる。具体的には、第一電極側に外力を受けた場合には、第二電極側に同一外力を受けた場合に比べて、電極間の電気抵抗の変化が大きくなる。従って、第一電極から外力位置までの距離と、第二電極から外力位置までの距離が、同一であっても、その位置を確実に検出できる。つまり、電極を２個としたとしても、確実に変形センサの面状部において外力を受けた位置を検出できる。
【００２０】
また、従来のゴム弾性材料として、例えば、特許文献１および特許文献２などに感圧導電性エラストマーが開示されている。この感圧導電性エラストマーは、無負荷状態においては絶縁性を示し、負荷状態にて内部の導電性粒子が互いに接近して電気抵抗値が次第に低下することに伴って導電性を示す材料からなる。このような性質を有する公知のエラストマーを本発明の変形センサに適用できるか否かについて検討する。
【００２１】
このエラストマーのうち外力を受ける面状部を挟むように離隔して複数の電極を配置したとすると、無負荷状態においては電極間に電流が全く流れない状態となる。これは、電極間のエラストマーが絶縁性を示しているためである。そして、電極間全体に亘って加圧により変形した場合にのみ、電極間に電流が流れる。つまり、電極間の一部のみが加圧されて変形した場合には電極間に電流が流れない。従って、電極間の一部のみに加圧された場合に、圧力付加を検出できないことになる。つまり、公知のエラストマーは、本発明の変形センサに適用することができない。
【００２２】
また、本発明の変形センサシステムにおいて、所定の対辺が対向する方向に直交する方向の面状部の幅は、所定の対辺の一方端より所定の対辺の他方端の方が広く形成されるとよい。つまり、上述したような第一電極と第二電極との接触長に加えて、面状部そのものの幅を第一電極側と第二電極側とで異ならせるようにする。これにより、面状部のうち第一電極側に外力を受けた場合に、第二電極側に同一外力を受けた場合に比べて、電極間の変形センサの電気抵抗の変化より大きくなる。従って、より高精度に外力を受けた位置を検出できる。
【００２３】
特に、所定の対辺が対向する方向に直交する方向の面状部の幅は、一方端から他方端までの間の少なくとも一部において、一方側から他方側に向かって次第に広く形成されるとよい。これにより、面状部の当該幅が変化している部分において、同一外力を受けた場合であっても、その位置に応じて電気抵抗の変化の影響度が異なる。従って、より高精度に外力を受けた位置を検出できる。
【００２４】
さらに好ましくは、所定の対辺が対向する方向に直交する方向の面状部の幅は、一方端から他方端に向かって全体に亘って次第に広く形成されるとよい。これにより、第一電極から第二電極までの全体に亘って、その位置に応じて、電気抵抗の変化の影響度が異なることになる。つまり、電極と面状部との接触長の相違による影響度に加えて、面状部の形状の相違による影響度を、相乗的に受けた電気抵抗の変化を検出することで、より確実に外力を受けた位置を検出できる。
【００２５】
さらに、上述したように、面状部の形状を第一電極側と第二電極側とで異なるようにする場合には、以下のようにするとよい。すなわち、本発明の変形センサシステムにおいて、第一電極の幅は、面状部の周縁部における所定の対辺の一方端の幅以上とするとよい。さらに、第二電極の幅は、面状部の周縁部における所定の対辺の他方端の幅以上とするとよい。これにより、上述した面状部の形状の影響度をより確実に検出できる。
【００２６】
ここで、変形センサの弾性材は、所定のゴムからなるエラストマーと、エラストマー中に略単粒子状態で、且つ、高充填率で配合されている球状の導電性フィラーとを有するものを用いるとよい。ここで、「略単粒子状態」とは、導電性フィラーの全質量を１００質量％とした場合の５０質量％以上が、凝集した二次粒子としてではなく、単独の一次粒子として存在していることをいう。また、「高充填率で配合」とは、導電性フィラーが最密状近い状態で配合されていることをいう。
【００２７】
このように、導電性フィラーが、高充填率（最密状態に近い状態）で配合され、且つ、エラストマー中に一次粒子の状態で存在することにより、変形センサが無加圧時に、導電性フィラーによる三次元的な導電パスが形成される。これに対して、変形センサへの加圧時には、変形センサが弾性変形する。そして、導電性フィラーが最密状態に近い状態で配合されているため、この弾性変形により、導電性フィラー同士が反発し合い、導電性フィラー同士の接触状態が変化する。その結果、無加圧時における三次元的な導電パスが崩壊し、電気抵抗が増加する。つまり、当該弾性材は、弾性変形量が増加するに従って電気抵抗が増加する性質を有することができる。
【発明を実施するための最良の形態】
【００２８】
次に、実施形態を挙げ、本発明をより詳しく説明する。
【００２９】
（１）変形センサシステムの全体構成
本実施形態の変形センサシステムの全体構成について図１および図２を参照して説明する。図１は、変形センサシステムの全体構成図を示す。図２（ａ）は、変形センサ１２が押圧外力Ｆを受けていない状態（無負荷状態）における図１のＡ−Ａ断面図を示す。図２（ｂ）は、変形センサ１２が押圧外力Ｆを受けた状態（負荷状態）における図１のＡ−Ａ断面図を示す。
【００３０】
図１に示すように、変形センサシステムは、センサ構造体１０と、制御部２０と、モニタ３０とから構成される。ここで、本発明の変形センサシステムは、センサ構造体１０と制御部２０の検出部２２とを含むものである。
【００３１】
センサ構造体１０は、載置板１１と、変形センサ１２と、第一電極１３と、第二電極１４と、コネクタ１５と、配線１６とから構成される。載置板１１は、図１および図２（ａ）（ｂ）に示すように、長方形の平板状からなり、弾力性のある発砲材またはクッション材などからなる。すなわち、載置板１１は、図２（ｂ）に示すように、その上面（図２の上側面）を押圧された場合に、押圧部位が凹状に変形する。この載置板１１は、例えば、平面の基盤上に配置される。
【００３２】
変形センサ１２は、弾性変形量が増加するに従って電気抵抗が増加するゴム弾性材からなる。この変形センサ１２は、台形の平板状に形成されており、載置板１１の上面に重ね合わさるように配置されている。ここで、変形センサ１２の上面、すなわち、平板状の広がる面は、図２（ａ）（ｂ）の下方への押圧外力Ｆを受け得る面状部１２ａをなす。つまり、変形センサ１２の面状部１２ａが、その法線方向の押圧外力Ｆを受けた場合には、図２（ｂ）に示すように、変形センサ１２のうち当該押圧外力Ｆを受けた部位が図２（ｂ）の下方側に向かって湾曲するように曲げ弾性変形する。なお、変形センサ１２のゴム弾性材の詳細については、後述する「（２）変形センサ１２の材料説明」の項目において説明する。
【００３３】
この面状部１２ａの形状について、より詳細に説明する。面状部１２ａは、当該面状部１２ａの周縁部における対辺のうち一方（図１の左端）が台形上辺となり、当該対辺のうち他方（図１の右端）が台形下辺となる。つまり、対辺のうち一方が、対辺のうち他方よりも、広く形成されている。さらに、当該対辺が対向する方向（図１の左右方向）に直交する方向の面状部１２ａの幅は、図１の左端から右端に向かって全体に亘って次第に広くなるように形成されている。
【００３４】
第一電極１３は、面状部１２ａの周縁部における図１の左端に、面状部１２ａに接触した状態で固定されている。この第一電極１３の幅は、面状部１２ａの図１の左端幅と同一としている。つまり、第一電極１３と面状部１２ａとの接触長は、面状部１２ａの図１の左端幅に一致するとともに、第一電極１３の幅に一致する。
【００３５】
第二電極１４は、面状部１２ａの周縁部における図１の右端に、面状部１２ａに接触した状態で固定されている。この第二電極１４の幅は、面状部１２ａの図１の右端幅と同一としている。そして、第二電極１４の幅は、第一電極１３の幅より大きい。つまり、第二電極１４と面状部１２ａとの接触長は、面状部１２ａの図１の右端幅に一致するとともに、第二電極１４の幅に一致する。従って、第二電極１４が面状部１２ａに接触する接触長は、第一電極１３が面状部１２ａに接触する接触長よりも長くされている。
【００３６】
コネクタ１５は、後述する制御部２０と電気的接続のための部材である。このコネクタ１５は、載置板１１の上面のうち図１の左下角部であって、変形センサ１２の周縁部よりも外方に配置されている。つまり、コネクタ１５は、変形センサ１２に対して離隔した位置に配置されている。配線１６は、一端が第一電極１３および第二電極１４のそれぞれに接続され、他端がコネクタ１５に接続されている。
【００３７】
制御部２０は、電源回路２１と、検出部２２と、出力部２３とから構成される。電源回路２１は、コネクタ１５および配線１６を介して第一電極１３および第二電極１４、並びに、後述する検出部２２の抵抗変化量検出部２２ａに、電気的接続されており、直流電圧Ｖｉｎを印加する回路である。
【００３８】
検出部２２は、第一電極１３と第二電極１４との間に直流電圧Ｖｉｎを印加した場合に、第一電極１３と第二電極１４との間における変形センサ１２の電気抵抗の変化を検出すると共に、検出した電気抵抗の変化に基づいて変形センサ１２の面状部１２ａのうち押圧外力Ｆを受けた位置を算出する。出力部２３は、検出部２２にて算出された面状部１２ａのうち押圧外力Ｆを受けた位置をモニタ３０に出力する。モニタ３０には、変形センサ１２の面状部１２ａに相当する面が表示されており、押圧外力Ｆを受けた位置を種々の色を用いて表示したり、色の明暗を用いて表示したりする。なお、制御部２０の詳細は、後述する「（４）制御部２０の詳細説明」の項目において説明する。
【００３９】
（２）変形センサ１２の材料説明
次に、変形センサ１２に用いるゴム弾性材、すなわち弾性変形量が増加するに従って電気抵抗が増加する性質を有するゴム弾性材について、図３を参照して詳細に説明する。図３（ａ）は、無負荷状態における変形センサ１２の断面模式図を示し、図３（ｂ）は、負荷状態における変形センサ１２の断面模式図を示す。なお、図３（ｂ）において、無負荷状態の変形センサ１２の形状を破線にて示す。
【００４０】
この変形センサ１２のゴム弾性材は、所定のゴムからなるエラストマー１２ｂと、エラストマー中に略単粒子状態で、且つ、高充填率で配合されている球状の導電性フィラー１２ｃとを有するものである。ここで、所定のゴムからなるエラストマー１２ｂ自体は、絶縁性を有している。また、「略単粒子状態」および「高充填率で配合」については、上述した意味である。
【００４１】
そして、無負荷状態では、図３（ａ）に示すように、導電性フィラー１２ｃの多くは、エラストマー１２ｂ中に一次粒子状態で存在している。また、導電性フィラー１２ｃの充填率は高く、最密状態で配合されている。これにより、無負荷状態において、変形センサ１２には、導電性フィラー１２ｃによる三次元的な導電パスＰｓが形成されている。従って、無負荷状態では、変形センサ１２の電気抵抗が小さくなる。
【００４２】
一方、図３（ｂ）に示すように、変形センサ１２の面状部１２ａに外力Ｆ（例えば、押圧外力）を受けた場合（負荷状態）には、変形センサ１２は弾性変形する。ここで、導電性フィラー１２ｃは最密状態に近い状態で配合されているため、導電性フィラー１２ｃが移動できるスペースがほとんどない。従って、変形センサ１２が弾性変形すると、導電性フィラー１２ｃ同士が反発し合い、導電性フィラー１２ｃ同士の接触状態が変化する。その結果、無負荷状態において形成されていた三次元的な導電パスＰｓが崩壊し、変形センサ１２の電気抵抗が増加する。
【００４３】
ここで、変形センサ１２において、エラストマー１２ｂに対して導電性フィラー１２ｃの配合量を増加させるにつれて、変形センサ１２の電気抵抗は低下する。具体的には、所定量のエラストマー１２ｂに導電性フィラー１２ｃを配合していく場合を考えると、導電性フィラー１２ｃの配合量が少ない状態では、変形センサ１２の電気抵抗は大きな値を示す。すなわち、この場合の変形センサ１２の電気抵抗は、導電性フィラー１２ｃを配合していない状態におけるエラストマー１２ｂ自体の電気抵抗にほとんど等しい。
【００４４】
そして、導電性フィラー１２ｃの配合量を増加させて、その配合量が所定の体積分率に達すると、変形センサ１２の電気抵抗が急激に低下して、絶縁体−導電体転移が起こる（第一変極点）。この第一変曲点における導電性フィラー１２ｃの配合量（体積％）を、臨界体積分率という。また、さらに導電性フィラー１２ｃの配合量を増加していくと、所定の体積分率から、変形センサ１２の電気抵抗の変化量が小さくなり、電気抵抗の変化が飽和する（第二変極点）。この第二変極点における導電性フィラー１２ｃの配合量（体積％）を、飽和体積分率という。このような変形センサ１２の電気抵抗の変化は、パーコレーションカーブと呼ばれ、エラストマー１２ｂ中に導電性フィラー１２ｃによる導電パスＰｓ（図３（ａ）に示す）が形成されるためと考えられている。そして、無負荷状態にて導電パスＰｓを適切に形成することができるために、飽和体積分率が３５体積％以上とする。
【００４５】
また、他の視点によれば、変形センサ１２全体の体積を１００体積％とした場合に、導電性フィラー１２ｃの充填率を３０体積％以上６５体積％以下とするとよい。この場合にも同様に、導電性フィラー１２ｃが一次粒子の状態で存在し、且つ、最密状態に近い状態で配合されているので、無負荷状態にて導電パスＰｓを適切に形成できる。
【００４６】
変形センサ１２を形成するゴム弾性材の具体的な一例を以下に挙げる。まず、油展ＥＰＤＭ（住友化学社製「エスプレン（登録商標）６１０１」）８５質量部と、油展ＥＰＤＭ（住友化学社製「エスプレン６０１」３４質量部と、ＥＰＤＭ（住友化学社製「エスプレン５０５」）３０質量部と、酸化亜鉛（共に白水化学工業社製）５質量部と、スチアリン酸（花王社製「ルナック（登録商標）Ｓ３０」）１部と、パラフィン系プロセスオイル（日本サン石油社製「サンパー（登録商標）１１０」）２０質量部と、をロール練り機にて素練りした。
【００４７】
次に、カーボンビーズ（日本カーボン社製「ニカビーズＩＣＢ０５２０」）、平均粒子径約５μｍ、硫度分におけるＤ９０／Ｄ１０＝３．２）２７０質量部を添加して、ロール練り機にて混合し、分散させた。さらに、加硫促進剤として、ジメチルジチオカルバミン酸亜鉛（大内新興化学社製「ノクセラー（登録商標）ＰＺ−Ｐ」）１．５質量部、テトラメチルチウラムジスルフィド（三新化学社製「サンセラー（登録商標）ＴＴ−Ｇ」）１．５質量部、２−メルカプトベンゾチアゾール（大内新興化学社製「ノクセラーＭ−Ｐ」）０．５質量部と、硫黄（鶴見化学工業社製「サンファックスＴ−１０」）０．５６質量部とを添加して、ロール練り機にて混合し、分散させて、エラストマー組成物を調整した。
【００４８】
このエラストマー組成物のパーコレーションカープにおける臨界体積分率は、約４３体積％、飽和体積分率は約４８体積％であった。次に、エラストマー組成物を所定の大きさ（本実施形態では台形板状）に成形して、所定温度でプレス加硫により変形センサ１２を成形した。成形された変形センサ１２におけるカーボンビーズの充填率は、変形センサ１２の体積を１００体積％とした場合の約４８体積％であった。
【００４９】
（３）変形センサ１２の電気抵抗の変化特性について
次に、上述したように成形された変形センサ１２の電気抵抗の変化特性について、図４および図５を参照して説明する。図４は、変形センサ１２が曲げ変形した状態を示す図である。図５は、変形センサ１２の曲率Ｃに対する電気抵抗の変化特性を示す図である。ここでは、変形センサ１２の材料そのものの電気抵抗の変化特性を説明するために、変形センサ１２の形状を、上述した台形板状とは異なり、長尺板状（長方形の板状）としている。
【００５０】
まず、図４に示すように、長尺板状の変形センサ１２の両端に電極１７を配置した。この両端の電極１７は、同一形状としている。この場合に、変形センサ１２の中央部に押圧外力Ｆを付加して、変形センサ１２全体が図４の下側に湾曲するように曲げ弾性変形する状態を考える。このとき、無負荷状態における変形センサ１２の長手方向長さをＬとし、負荷状態における変形センサ１２の両端の離間距離をＬ１とし、ＬとＬ１との差を曲げ歪距離Ｓとした場合に、曲率Ｃ（％）は、以下の式（１）により定義する。
【００５１】
【数１】
2008241528.tif 000003
【００５２】
そして、押圧外力Ｆを適宜変更して曲率Ｃを変化させた状態において、そのときの電極１７間の電気抵抗を計測した。この結果は、図５に示すように、曲率Ｃが増加するに従って、電極１７間の電気抵抗が増加している。このことから、変形センサ１２の弾性変形量が大きいほど、電気抵抗が増加するということが言える。
【００５３】
（４）制御部２０の詳細構成
次に、変形センサシステムにおける制御部２０の詳細構成について、図１および図６を参照して説明する。図６は、制御部２０の検出部２２を構成する抵抗変化量検出部２２ａを説明する図である。
【００５４】
制御部２０は、図１に示すように、電源回路２１と、検出部２２と、出力部２３とから構成される。電源回路２１は、コネクタ１５および配線１６を介して第一電極１３と第二電極１４、並びに、後述する検出部２２の抵抗変化量検出部２２ａに、電気的接続されており、直流電圧Ｖｉｎを印加する回路である。
【００５５】
検出部２２は、抵抗変化量検出部２２ａと、外力位置算出部２２ｂとから構成される。抵抗変化量検出部２２ａは、電源回路２１、第一電極１３、および、第二電極１４に電気的接続されている。そして、抵抗変化量検出部２２ａは、図６に示すように、第一電極１３と第二電極１４との間における変形センサ１２の電気抵抗を第１抵抗Ｒ１とするホイートストン・ブリッジ回路を構成している。また、ホイートストン・ブリッジ回路を構成する第２抵抗Ｒ２、第３抵抗Ｒ３および第４抵抗Ｒ４は、一定の抵抗値としている。ここでは、無負荷状態における第１抵抗Ｒ１と第４抵抗Ｒ４とを掛け合わせた値が、第２抵抗Ｒ２と第３抵抗Ｒ３とを掛け合わせた値に等しくなるように、第２抵抗Ｒ２、第３抵抗Ｒ３および第４抵抗Ｒ４を設定する。
【００５６】
そして、図６において、印加電圧Ｖｉｎは、電源回路２１により印加される直流電圧である。また、抵抗変化量検出部２２ａは、ブリッジ中間電位差Ｖｍを検出する。つまり、このブリッジ中間電位差Ｖｍは、第一電極１３と第二電極１４との間における変形センサ１２の第１抵抗Ｒ１の変化に伴って変化する。すなわち、抵抗変化量検出部２２ａは、第一電極１３と第二電極１４との間に電圧を印加した場合に、第一電極１３と第二電極１４との間における変形センサ１２の第１抵抗Ｒ１の変化量ΔＲ１を検出できる。
【００５７】
外力位置算出部２２ｂは、電源回路２１により電圧Ｖｉｎを印加した場合に、抵抗変化量検出部２２ａにより検出されたΔＲ１に基づいて、変形センサ１２の面状部１２ａのうち押圧外力Ｆを受けた位置を算出する。
【００５８】
変形センサ１２は、上述したように、弾性変形量が増加するに従って電気抵抗が増加するゴム弾性材からなる。そして、第一電極１３と第二電極１４との間における変形センサ１２の第１抵抗Ｒ１は、押圧外力Ｆを受ける位置によって、その影響度が異なる。具体的には、押圧外力Ｆの位置が、第一電極１３または第二電極１４から遠いほど、第１抵抗Ｒ１の変化量ΔＲ１として表れる影響度が小さくなる。つまり、第一電極１３付近または第二電極１４付近に押圧外力Ｆを受けた場合の方が、第一電極１３と第二電極１４の中央付近に同一の押圧外力Ｆを受けた場合に比べて、第一電極１３と第二電極１４との間の第１抵抗の変化量ΔＲ１が大きくなる。従って、第一電極１３と第二電極１４との間の第１抵抗の変化量ΔＲ１に基づいて、押圧外力Ｆを受けた位置が、第一電極１３または第二電極１４からどの距離にあるかを判断することができる。
【００５９】
さらに、変形センサ１２は、第一電極１３側から第二電極１４側に向かって幅広の台形板状からなる。従って、第１抵抗Ｒ１は、模式的に示すと、図６に示すように、第一電極１３側から第二電極１４側に向かって並列接続される抵抗の数が増加するような関係となる。つまり、第１抵抗Ｒ１は、式（２）により表すことができる。
【００６０】
【数２】
2008241528.tif 000004
【００６１】
ここで、無負荷状態においては、上記式（２）における各抵抗Ｒａ１、Ｒａ２、・・・、Ｒｃ５、Ｒｃ６が、同一のものとする。つまり、無負荷状態においては、各抵抗Ｒａ１、Ｒａ２、・・・、Ｒｃ５、Ｒｃ６をｒとした場合には、式（２）は、式（３）のように表すことができる。
【００６２】
【数３】
2008241528.tif 000005
【００６３】
そして、変形センサ１２の何れの位置に押圧外力Ｆを受けたとしても、何れかの抵抗が増加するため、結果として第１抵抗Ｒ１は増加する。
【００６４】
ここで、図６に示す「Ａ」の範囲に押圧外力Ｆを受けた場合と、「Ｂ」の範囲に押圧外力Ｆを受けた場合とを比較する。「Ａ」の範囲に押圧外力Ｆを受けた場合には、その範囲内に位置する抵抗Ｒａ１、Ｒａ２の抵抗値が増加する。また、「Ｂ」の範囲に押圧外力Ｆを受けた場合には、その範囲内に位置する抵抗Ｒｃ１〜Ｒｃ６の抵抗値が増加する。このとき、押圧外力Ｆを同一とし、それぞれの抵抗値の増加量が等しいとする。そして、「Ａ」の範囲に押圧外力Ｆを受けた場合には、式（３）の第一項のｒが増加することになり、「Ｂ」の範囲に押圧外力Ｆを受けた場合には、式（３）の第三項のｒが増加することになる。つまり、「Ａ」の範囲に押圧外力Ｆを受けた場合の方が、「Ｂ」の範囲に押圧外力Ｆを受けた場合に比べて、第１抵抗Ｒ１の増加量が大きくなる。
【００６５】
また、図６に示す「Ｃ」の範囲に押圧外力Ｆを受けた場合と、「Ｄ」の範囲に押圧外力Ｆを受けた場合とを比較する。「Ｃ」の範囲に押圧外力Ｆを受けた場合には、その範囲内に位置する抵抗Ｒａ１の抵抗値が増加する。また、「Ｄ」の範囲に押圧外力Ｆを受けた場合には、その範囲内に位置する抵抗Ｒｃ１の抵抗値が増加する。これらの場合において、それぞれの抵抗値の増加量が等しいとした場合には、式（２）より、「Ｃ」の範囲に押圧外力Ｆを受けた場合の方が、「Ｄ」の範囲に押圧外力Ｆを受けた場合に比べて、第１抵抗Ｒ１の増加量が大きくなる。
【００６６】
このように、変形センサ１２の面状部１２ａのうち押圧外力Ｆを受ける位置に応じて、第一電極１３と第二電極１４との間の第１抵抗Ｒ１が異なる変化をする。従って、外力位置算出部２２ｂは、抵抗変化量検出部２２ａにより検出された第１抵抗の変化量ΔＲ１に基づいて、第一電極１３と第二電極とを結ぶ軸方向において、押圧外力Ｆを受ける位置を判別することができる。
【００６７】
＜その他の実施形態＞
変形センサ１２の変形態様について図７を参照して説明する。図７は、変形センサ１２の変形態様を示す図である。図７（ａ）に示すように、第一電極１３の幅を第二電極１４の幅と同一ものを使用し、さらに、これらの電極１３、１４の幅は、面状部１２ａの対辺の他方（図７（ａ）の右端）の幅よりも大きくしている。変形センサ１２は上記実施形態と同一形状からなる。従って、第一電極１３と変形センサ１２との接触長、および、第二電極１４と変形センサ１２の接触長は、上記実施形態と同一である。この場合、第一電極１３と第二電極１４との間の電気抵抗Ｒ１の変化量は、上記実施形態と同様となる。従って、上記実施形態と同様の作用効果を奏する。
【００６８】
また、図７（ｂ）に示すように、変形センサ１２を、第一電極１３側の部分を同一幅からなるようにし、第二電極１４側の部分を台形状としている。この場合も、面状部１２ａのうち押圧外力Ｆを受ける位置に応じて、第一電極１３と第二電極１４との間の第１抵抗Ｒ１の変化量ΔＲ１が異なる。従って、押圧外力Ｆの位置を算出できる。ただし、上記実施形態に比べて、同一幅からなる部分により、第１抵抗Ｒ１の変化への影響度が小さくなる。従って、検出精度は、上記実施形態の方がよい。
【００６９】
また、図７（ｃ）に示すように、変形センサ１２を、第一電極１３側の部分を同一幅とし、第二電極１４側の部分を第一電極１３側よりも大きな幅であって同一幅とする。そして、第一電極１３側の小幅部分の長さＬａと、第二電極１４側の大幅部分の長さＬａとは、同一としている。この場合も、面状部１２ａのうち押圧外力Ｆを受ける位置に応じて、第一電極１３と第二電極１４との間の第１抵抗Ｒ１の変化量ΔＲ１が異なる。従って、押圧外力Ｆの位置を算出できる。ただし、検出精度は、上記実施形態の方がよい。さらには、検出精度は、同一幅の部分が存在しない図７（ｂ）の場合の方がよい。
【００７０】
また、図７（ｄ）に示すように、変形センサ１２の幅を、第一電極１３から第二電極１４に向かって全てに亘って同一幅とする。そして、この変形センサ１２の幅は、第二電極１４の幅と同一とする。この場合も、面状部１２ａのうち押圧外力Ｆを受ける位置に応じて、第一電極１３と第二電極１４との間の第１抵抗Ｒ１の変化量ΔＲ１が異なる。この理由は、変形センサ１２のうち第一電極１３付近において、第一電極１３に接触していない部分は、ほとんど影響を及ぼさないためである。つまり、この場合の変形センサ１２の抵抗分布としては、上記実施形態と近似した関係となるためである。ただし、この場合には、当該部分の影響を少なからず受けるため、当該影響を受けない上記実施形態の方が検出精度がよい。
【図面の簡単な説明】
【００７１】
【図１】変形センサシステムの全体構成図である。
【図２】無負荷状態および負荷状態における図１のＡ−Ａ断面図である。
【図３】無負荷状態および負荷状態における変形センサ１２の断面模式図である。
【図４】変形センサ１２が曲げ変形した状態を示す図である。
【図５】変形センサ１２の曲率Ｃに対する電気抵抗の変化特性を示す図である。
【図６】制御部２０の検出部２２を構成する抵抗変化量検出部２２ａを説明する図を示す。
【図７】変形センサ１２の変形態様を示す図である。
【符号の説明】
【００７２】
１０：センサ構造体、  ２０：制御部、  ３０：モニタ、
１１：載置板、  １２：変形センサ、  １２ａ：面状部、  １２ｂ：エラストマー、
１２ｃ：導電性フィラー、
１３：第一電極、  １４：第二電極、  １５：コネクタ、  １６：配線、
１７：電極、
２１：電源回路、  ２２：検出部、  ２３：出力部、
２２ａ：抵抗変化量検出部、  ２２ｂ：外力位置算出部、
Ｐｓ：導電パス
【図１】
2008241528.tif 000006
【図２】
2008241528.tif 000007
【図３】
2008241528.tif 000008
【図４】
2008241528.tif 000009
【図５】
2008241528.tif 000010
【図６】
2008241528.tif 000011
【図７】
2008241528.tif 000012